(57)【要約】【課題】  本体ケース内に収容された感光材料の品質を良好に保持することのできる感光材料マガジンが求められている。【解決手段】  感光材料マガジン１は、印画紙Ｐを収容する密閉箱状の本体ケース２と、本体ケース２に設けられて本体ケース２のケース内Ｎを冷却する電熱冷却素子９の伝熱板２０と、ケース内Ｎの温度を検出する温度センサ５と、温度センサ５により検出されたケース内Ｎの温度を、予め設定された目標冷却温度に近づけるように電熱冷却素子９を作動して伝熱板２０に吸熱させる第１制御手段２８とを備えている。電熱冷却素子９の伝熱板２０は吸熱板として冷却手段の機能を呈するが、電熱冷却素子９に給電される直流電源の極性が逆にされると、放熱板となって加熱手段の機能を呈する。【選択図】      図２
2005274688.tif 000002
【特許請求の範囲】
【請求項１】
感光材料を収容する密閉箱状の本体ケースと、本体ケースに設けられて本体ケース内を冷却する冷却手段と、本体ケース内の温度を検出する温度センサと、温度センサにより検出された本体ケース内温度を、予め設定された目標冷却温度に近づけるように冷却手段を作動させる第１制御手段とを備えていることを特徴とする感光材料マガジン。
【請求項２】
第１制御手段が、温度センサにより検出された本体ケース内温度が予め設定された目標冷却温度に達したときに作動中の冷却手段を作動停止する温度スイッチで構成されている請求項１に記載の感光材料マガジン。
【請求項３】
本体ケースに設けられて本体ケース内を加熱する加熱手段と、温度センサにより検出された本体ケース内温度を、予め設定された目標加熱温度に近づけるように加熱手段を作動させる第２制御手段とを備えている請求項１または請求項２に記載の感光材料マガジン。
【請求項４】
時刻を計時する計時手段と、計時手段により計時された時刻が、予め設定されたマガジン使用開始予定時刻から過去に所定時間さかのぼった時刻になったとき加熱手段を作動させる第３制御手段とを備えている請求項３に記載の感光材料マガジン。
【請求項５】
冷却手段が、電熱冷却素子の吸熱板である請求項１から請求項４のいずれか一項に記載の感光材料マガジン。
【請求項６】
加熱手段が、電熱冷却素子の放熱板である請求項３から請求項５のいずれか一項に記載の感光材料マガジン。
【発明の詳細な説明】
【技術分野】
【０００１】
本発明は、写真処理装置に用いられる印画紙などの感光材料を収容した感光材料マガジンに関するものである。
【背景技術】
【０００２】
従来、この種の感光材料マガジンとしては、例えば下記の特許文献１に開示されたものが知られている。前記文献開示の感光材料マガジンは、ロール状に巻かれた印画紙を収容する密閉箱状の本体ケースで主として構成されている。本体ケースには印画紙をケース外に取り出すための取出口が形成されており、この取出口は光の入射を阻止する遮光部材で通紙可能に封止されている。かかる感光材料マガジンは写真処理装置に設置される。そして、感光材料マガジンの取出口から繰り出された印画紙は写真処理装置のプリント処理部へ送られて焼付け処理され、更に現像処理部で現像されたのちに乾燥処理部で乾燥され、プリント排出部から排出されるようになっている。
【０００３】
【特許文献１】特開２００１−２１３０３７号公報（段落番号〔００３０〕、〔００４７〕、図１）
【発明の開示】
【発明が解決しようとする課題】
【０００４】
ところで、印画紙などの感光材料が高い温度で保管されると、品質の低下を招くことが知られている。これは、処理量の少ない写真処理装置に、ロール状の感光材料をマガジンに入れて長期間セットしたような場合も同様である。あるいは、感光材料の表面に結露が生じたときに、感光材料の品質低下を引き起こすという問題がある。
【０００５】
本発明は、上記した従来の問題点に鑑みてなされたものであって、本体ケース内に収容された感光材料の品質を良好に保持することのできる感光材料マガジンの提供を目的とする。
【課題を解決するための手段】
【０００６】
上記目的を達成するために、本発明に係る感光材料マガジンは、感光材料を収容する密閉箱状の本体ケースと、本体ケースに設けられて本体ケース内を冷却する冷却手段と、本体ケース内の温度を検出する温度センサと、温度センサにより検出された本体ケース内温度を、予め設定された目標冷却温度に近づけるように冷却手段を作動させる第１制御手段とを備えた構成にしてある。
【０００７】
また、前記構成において、第１制御手段が、温度センサにより検出された本体ケース内温度が予め設定された目標冷却温度に達したときに作動中の冷却手段を作動停止する温度スイッチで構成されたものである。
【０００８】
そして、前記した各構成において、本体ケースに設けられて本体ケース内を加熱する加熱手段と、温度センサにより検出された本体ケース内温度を、予め設定された目標加熱温度に近づけるように加熱手段を作動させる第２制御手段とを備えたものである。
【０００９】
更に、前記した各構成において、時刻を計時する計時手段と、計時手段により計時された時刻が、予め設定されたマガジン使用開始予定時刻から過去に所定時間さかのぼった時刻になったとき加熱手段を作動させる第３制御手段とを備えたものである。
【００１０】
また、前記した各構成において、冷却手段を電熱冷却素子の吸熱板としたものである。
【００１１】
そして、前記した各構成において、加熱手段を電熱冷却素子の放熱板としたものである。
【発明の効果】
【００１２】
請求項１の発明に係る感光材料マガジンによれば、検出された本体ケース内温度を目標冷却温度に近づけるように、第１制御手段が冷却手段を作動させて本体ケース内を冷却するので、例えば感光材料の保存に適した低温を目標冷却温度として設定しておけば、本体ケース内は感光材料にとって好適な温度に保持される。従って、感光材料の品質を良好に保持することができる。
【００１３】
また、請求項２の発明に係る感光材料マガジンによれば、第１制御手段が温度スイッチで構成されており、当該温度スイッチは検出された本体ケース内温度が目標冷却温度に達したときに作動中の冷却手段を作動停止するので、本体ケース内は目標冷却温度近傍に保持される。従って、簡素で安価な構成により、感光材料の品質を良好に保持することができる。
【００１４】
そして、請求項３の発明に係る感光材料マガジンによれば、検出された本体ケース内温度を目標加熱温度に近づけるように、第２制御手段が加熱手段を作動させるので、感光材料は目標加熱温度（例えば常温ないし感光材料の使用温度）に保持される。従って、感光材料がそれまでに冷却保存されていたとしても、感光材料マガジンから取り出して使用される際に結露を生じない。
【００１５】
更に、請求項４の発明に係る感光材料マガジンによれば、計時された時刻がマガジン使用開始予定時刻から過去に所定時間さかのぼった時刻になったとき、第３制御手段が加熱手段を作動させるので、マガジン使用開始予定時刻（例えば始業時）において感光材料が結露を生じない状態にすることができる。従って、マガジン使用開始予定時刻になったとき直ちに感光材料の使用を開始することができる。
【００１６】
また、請求項５の発明に係る感光材料マガジンによれば、汎用の電熱冷却素子の吸熱板で冷却手段が構成されるので、部品の入手や交換が容易で安価なマガジンを提供することができる。
【００１７】
前記と同様に、請求項６の発明に係る感光材料マガジンによれば、汎用の電熱冷却素子の放熱板で加熱手段が構成されるので、部品の入手や交換が容易で安価なマガジンを提供することができる。
【発明を実施するための最良の形態】
【００１８】
本発明の最良の実施形態を図面に基づいて説明する。尚、以下に述べる実施形態は本発明を具体化した一例に過ぎず、本発明の技術的範囲を限定するものでない。ここに、図１は本発明の一実施形態に係る感光材料マガジンの外観図、図２は図１におけるＡ−Ａ線矢視断面を含む構成図である。
各図において、この実施形態に係る感光材料マガジン１は、水平方向のロール芯３に巻かれた印画紙（感光材料の例）Ｐを収容する密閉箱状の本体ケース２を備えている。本体ケース２のケース内Ｎの前部にはロールから繰り出された印画紙Ｐを案内する水平方向のガイドローラ４が配備されている。ガイドローラ４の下方位置で本体ケース２の底面には、ガイドローラ４により案内された印画紙Ｐをケース外Ｓに取り出すための取出口６が形成されている。本体ケース２の内面における取出口６の周囲には、ケース内Ｎへの光の入射を阻止する遮光部材１９（図３参照）が配備されている。
【００１９】
本体ケース２の上面には、例えば電熱冷却素子９を収容可能な大きさ・形状の開口部７が形成されている。電熱冷却素子９は、伝熱板２０をケース内Ｎ側に配し伝熱板２１をケース外Ｓ側に配した状態で本体ケース２の開口部７内に配置され、例えばゴム製の周枠８を介して本体ケース２に取付けられている。そして、ケース内Ｎの温度を検出する温度センサ５が周枠８を貫通して取付けられている。
電熱冷却素子９はいわゆるペルチエ素子であって、Ｐ型半導体２２とＮ型半導体２３が導電体２４を介して接続され、導電体２４の外面に伝熱板２０が固着されている。Ｐ型半導体２２とＮ型半導体２３の開放端側には、それぞれ絶縁体２５を介して伝熱板２１が架設されている。導電体２４と伝熱板２１の間は溶融樹脂を流し込んで固形化させた樹脂埋込部６０となっている。Ｐ型半導体２２とＮ型半導体２３の端部に接続された導線６１，６２は、例えば極性切換回路１８を介して電源回路２７と配線接続されている。
【００２０】
そして、本体ケース２の上面には、電熱冷却素子９を制御する制御ボックス１０と、電熱冷却素子９を作動させる直流電源である電池１７を収容した電池ボックス１６が設置されている。かかる直流電源として電池１７を用いると、携帯性に富んだ感光材料マガジンが提供される。
制御ボックス１０の外面には、目標温度データなどを外部からの設定入力するためのキーボード１１、目標温度などを表示する表示部１４、極性切換回路１８のスイッチレバー１５、商用電源につながれた交直変換アダプタのジャック（図示省略）を差し込むプラグ１２、および、後述する写真処理装置３５から取り出される直流電源のジャック（図示省略）を差し込むプラグ１３が設けられている。また、制御ボックス１０は、マイコンチップなどからなる制御部２６、制御部２６からの制御指令量に応じた直流電源を電熱冷却素子９へ出力する電源回路２７、および、電熱冷却素子９へ出力される直流電源の極性を切り換える極性切換回路１８を収容している。
制御部２６は中央演算ユニット（ＣＰＵ）２９を中心に構成されており、ＣＰＵ２９はＩ／Ｏポート３０を介してランダムアクセスメモリ（ＲＡＭ）３２および時刻計時用のタイマ回路３３と双方向通信可能に接続されている。また、Ｉ／Ｏポート３０の信号入力側には読出し専用メモリ（ＲＯＭ）３１、キーボード１１、および温度センサ５が通信接続されており、信号出力側には表示部１４および電源回路２７が通信接続されている。
【００２１】
前記の感光材料マガジン１は、図３に示すように、写真処理装置３５の装置本体上面に設置される。この写真処理装置３５では、感光材料マガジン１，１から繰り出された印画紙Ｐが装置本体上面の受入口３４を経て装置内へ搬送ローラ３６で搬送されながら、カット部６３において切断され、この切断された印画紙Ｐがプリント処理部３９へ送られる。プリント処理部３９において、印画紙Ｐは無端周回ベルト３７上の搬送途中で光源３８からの光により露光されて画像を焼き付けられる。そして、画像が焼き付けられた印画紙Ｐは、現像処理部４０に送られ現像液、漂白液、安定化液中を順次通過して現像処理されたのちに、乾燥処理部４１で乾燥されて、プリント排出部４２から排出トレイ（図示省略）上へ排出されるようになっている。
【００２２】
上記のように構成された感光材料マガジン１においては、例えば電池ボックス１６の電池１７が直流電源として使用される。但し、プラグ１２，１３に交直変換アダプタのジャックまたは写真処理装置３５からのジャックを差し込むことにより、電池１７の替わりに、交直変換アダプタまたは写真処理装置３５からの直流電源を使用することも可能である。
まず、利用者がキーボード１１からマガジン温調開始に係るキーを押すと、ＲＯＭ３１に格納されている温調実行プログラムがＣＰＵ２９にダウンロードされてプログラム実行可能な状態となる。そして、ＣＰＵ２９はケース内Ｎの目標冷却温度の設定入力を要求する内容を表示部１４に表示させる。利用者が目標冷却温度（例えば、５℃）をキーボード１１から設定入力すると、この目標冷却温度データはＲＡＭ３２にいったん格納される。尚、前記の目標冷却温度は、マガジン使用に先立ってキーボード１１から設定入力しＲＡＭ３２に予め記憶させておいても構わない。次に、ＣＰＵ２９は電源回路２７へ作動指令信号を出力するとともに、極性切換回路１８のスイッチレバー１５の操作要求を表示部１４に表示させる。そこで、利用者が極性切換回路１８のスイッチレバー１５を「中立」から「冷却」側に操作すると、極性（正極と負極）が「冷却用」に設定された直流電源が電源回路２７から電熱冷却素子９へ通電される。すると、電熱冷却素子９のペルチエ効果によりケース内Ｎの熱が伝熱板２０に吸熱されてケース内Ｎが冷却される。同時に、伝熱板２１からケース外Ｓへ放熱される。
そして、ＣＰＵ２９は、温度センサ５が検出しているケース内Ｎの温度を定期的に監視し、この検出温度をＲＡＭ３２に格納されている目標冷却温度に近づけるように、電源回路２７から電熱冷却素子９へ通電される直流電源の電力量を制御する。このような制御部２６および電源装置２７の作動により、ケース内Ｎの温度は印画紙Ｐの保存に適した５℃程度に保持される。従って、印画紙Ｐの劣化を抑えて品質を良好に保持することができる。
【００２３】
すなわち、ＣＰＵ２９を備える制御部２６と、ＣＰＵ２９からの指令により直流電源を調整して電熱冷却素子９へ給電する電源回路２７とから、温度センサ５により検出されたケース内Ｎの温度を予め設定された目標冷却温度に近づけるように電熱冷却素子９を作動させて伝熱板２０（冷却手段および吸熱板の例）から吸熱させる第１制御手段２８が構成される。
【００２４】
ところで、感光材料マガジン１内で５℃程度に保持されていた印画紙Ｐを、使用温度が例えば３５℃の写真処理装置３５内にそのまま繰り出すと、印画紙Ｐの表面に結露が生じて印画紙Ｐの感光乳剤などを劣化させるおそれがある。そこで、写真処理装置３５へ繰り出す前に、感光材料マガジン１内を常温ないしは写真処理装置３５での使用温度まで昇温しておくことが考えられる。因みに、写真処理装置３５の使用環境温度は１０〜３５℃である。この場合、目標加熱温度として、例えば３５℃が予めキーボード１１から制御部２６に設定入力されＲＡＭ３２に格納されている。そこで、利用者が極性切換回路１８のスイッチレバー１５を手で操作して直流電源の極性を「加熱用」に切り換える。すると、それまで吸熱板であった伝熱板２０が放熱板に切換わり伝熱板２１が吸熱板に切換わって、ケース内Ｎが緩やかに加熱される。この場合も、ＣＰＵ２９は、温度センサ５によるケース内Ｎの検出温度をＲＡＭ３２に格納されている目標加熱温度（３５℃）に近づけるように、電源回路２７から電熱冷却素子９へ通電される直流電源の電力量を制御する。かかる制御部２６および電源装置２７の作動により、ケース内Ｎの温度は写真処理装置３５の使用温度まで昇温される。前記の昇温後に写真処理装置３５へ繰り出された印画紙Ｐは表面に結露を生じることがなく、感光乳剤の劣化も生じない。
【００２５】
すなわち、ＣＰＵ２９を備える制御部２６と、ＣＰＵ２９からの指令により直流電源を調整して電熱冷却素子９へ給電する電源回路２７とから、温度センサ５により検出されたケース内Ｎの温度を予め設定されている目標加熱温度に近づけるように電熱冷却素子９を作動させて伝熱板２０（加熱手段および放熱板の例）を発熱させる第２制御手段２８ａが構成される。
【００２６】
前記したマガジン使用前の昇温処理をタイマ回路３３を利用して自動的に実行させることも可能である。この場合、手動式の極性切換回路１８が省略されるとともに、ＣＰＵ２９からの作動指令により電源回路２７からの直流電源の極性を正負逆にする極性切換回路１８ａ（図２中の２点鎖線）が電源回路２７に設けられる。そして、感光材料マガジン１の使用を開始するマガジン使用開始予定時刻データ、マガジン使用開始予定時刻から過去に遡る所定時間（昇温処理時間）データが利用者によりキーボード１１から予め設定入力され、ＲＡＭ３２に格納されている。この例ではマガジン使用開始予定時刻として例えば始業時の午前９時が設定され、マガジン使用開始予定時刻から遡る所定時間として例えば始業前の２時間が設定されている。
【００２７】
上記の感光材料マガジン１において、タイマ回路３３は計時した時刻データをＣＰＵ２９へ出力する。ＣＰＵ２９はタイマ回路３３からの計時時刻がマガジン使用開始予定時刻（午前９時）から２時間遡った午前７時になったときに電源回路２７の極性切換回路１８ａに指令信号を出力して、極性切換回路１８ａにより直流電源の極性を「冷却用」から「加熱用」に切換えさせる。更に、ＣＰＵ２９はケース内Ｎの温度を５℃から３５℃まで２時間かけてゆっくりと昇温させるように、電源回路２７から電熱冷却素子９への直流電源電力量を制御する。このように穏やかに加熱することにより、ケース内Ｎの温度が短時間で３５℃に達したのちに３５℃のまま長時間保持されて印画紙Ｐの劣化を招くといったことがなく、また印画紙Ｐが局部的に強熱されて感光乳剤の質に不均一を生じるといったこともない。そして、始業時には印画紙Ｐが結露を生じない状態になっているので、直ちに印画紙Ｐの写真処理作業に取りかかることができる。
すなわち、ＣＰＵ２９を備える制御部２６と、ＣＰＵ２９からの指令により直流電源を調整して電熱冷却素子９へ給電する電源回路２７とから、タイマ回路３３により計時された時刻が、予め設定されたマガジン使用開始予定時刻から過去所定時間さかのぼった時刻になったとき電熱冷却素子９を作動させて伝熱板２０（加熱手段および放熱板の例）を発熱させる第３制御手段２８ｂが構成される。
【００２８】
尚、前記の実施形態ではマイコンチップなどからなる制御部２６を用いた例を示したが、ここでは制御部２６を省いた感光材料マガジンを図４に示す。図示の感光材料マガジン１ａでは、手動式の極性切換回路１８および電源回路２７を収容した制御ボックス１０ａと、電池１７を収容した電池ボックス１６とが本体ケース２（図１参照）の上面に設置されている。そして、極性切換回路１８と電熱冷却素子９のＮ型半導体２３とを結ぶ導線６２の途中に、温度センサ５により検出したケース内Ｎの温度に基づいて通電を入切りする温度スイッチ４５が介設されている。この温度スイッチ４５は例えば汎用のバイメタル接点（図示省略）を内蔵し、温度センサ５を一体に備えている。温度センサ５は上記した周枠８を貫通してケース内Ｎに挿し込まれている。温度スイッチ４５は温度設定ツマミ４６の手動操作によりバイメタル接点間隔を調整して入切温度を設定変更するようになっている。この例において、温度スイッチ４５の入切温度は温度設定ツマミ４６の手動操作により予め５℃（目標冷却温度）に設定されている。
【００２９】
この感光材料マガジン１ａでは、温度センサ５により検出されたケース内Ｎの温度が５℃を下回ったときに、温度スイッチ４５のバイメタル接点が切となって電熱冷却素子９への給電が停止され、伝熱板２０による冷却が停止される。すなわち、温度スイッチ４５および温度設定ツマミ４６が第１制御手段２８Ａを構成する。これにより、ケース内Ｎの温度は目標冷却温度に保持される。従って、ケース内Ｎを感光材料を劣化させることなく保管できるのは無論のこと、簡単な構成で安価な感光材料マガジン１ａを実現することができる。
尚、加熱用として所定の目標加熱温度を超えたときに通電を切にする温度スイッチ（図示省略）を採用することも可能である。
【００３０】
上記したように、各実施形態で示した電熱冷却素子９は小型、軽量のモジュールとして広く汎用されているので、入手や交換が容易で安価に得ることができ、感光材料マガジンの製作コスト低廉化に寄与する。
【００３１】
次に、冷凍サイクル動作により本体ケース２のケース内Ｎを低温に保持したり使用温度まで昇温したりする感光材料マガジンを図５に示す。図５に示した感光材料マガジン１ｂは、冷凍サイクル装置４７を備えている。冷凍サイクル装置４７は、インバータモータ５０で駆動されて冷媒を圧縮し吐出する圧縮機４９、冷媒流路を切り換える四口流路切換弁５１、感光材料マガジン１ｂのケース外Ｓに設置されて送風機５８からの送風により冷却される熱源側熱交換器５２、管内の冷媒を絞って断熱膨張させる冷媒絞り弁５３、および、感光材料マガジン１ｂの本体ケース２に取付けられる利用側熱交換器５４を備えている。圧縮機４９〜四口流路切換弁５１〜熱源側熱交換器５２〜冷媒絞り弁５３間はそれぞれ冷媒管５５，５５，５５，・・・を介して配管接続されており、冷媒絞り弁５３〜利用側熱交換器５４間の一部および利用側熱交換器５４〜四口流路切換弁５１間の一部はそれぞれフレキシブル管５６，５６を介して配管接続されている。これにより、冷却／加熱切り換え可能なヒートポンプ式の冷媒回路が構成される。
【００３２】
この冷凍サイクル装置４７において、利用側熱交換器５４、往き側と戻り側のフレキシブル管５６，５６、および温度センサ５以外の構成要素は、ケース外Ｓに設置された外機４８のケーシングに収容されている。そして、例えばアルミニウムなど金属製の伝熱板５７が開口部７内に配置されゴム製の周枠８を介して本体ケース２に取付けられている。伝熱板５７の上面には利用側熱交換器５４および温度センサ５の検出端が着脱自在に接した状態で設置されている。この感光材料マガジン１ｂで用いる制御部２６は先の実施形態で述べた制御部２６と同様に、ＣＰＵ２９、ＲＯＭ３１、ＲＡＭ３２、タイマ３３を備えている。電源回路２７の出力先はインバータモータ５０、四口流路切換弁５１の弁駆動モータ（図示省略）、および冷媒絞り弁５３の弁開度駆動モータ（図示省略）である。
【００３３】
前記構成の感光材料マガジン１ｂによりケース内Ｎを「冷却」する例を述べる。まず、キーボード１１から「冷却」に係る設定入力がなされると、制御部２６は、圧縮機４９の吐出側と熱源側熱交換器５２とが連通するとともに圧縮機４９の吸込側と利用側熱交換器５４とが連通するように、電源回路２７からの直流電源が四口流路切換弁５１の弁駆動モータへ出力され、四口流路切換弁５１の流路が実線で示すように設定される。次に、インバータモータ５０への給電により圧縮機４９が起動する。すると、実線の矢印Ｒで示すように、圧縮機４９で圧縮されて高温高圧になったガス冷媒が四口流路切換弁５１を経て熱源側熱交換器５２に流入し、送風機５８から送風された外気との熱交換により冷却されて低温高圧の冷媒となる。低温高圧の冷媒は冷媒絞り弁５３で絞られて気液二相の冷媒となり、利用側熱交換器５４に流入する。利用側熱交換器５４中の気液二相冷媒は伝熱板５７を介してケース内Ｎの熱と熱交換し、自身は蒸発して低温低圧のガス冷媒となり、四口流路切換弁５１を経て圧縮機４９に戻る。このように、冷却仕様の冷媒サイクル動作が繰り返される。このとき、ケース内Ｎは利用側熱交換器５４中の冷媒により冷却されて低温にされる。ケース内Ｎの温度は上記と同様、制御部２６により電源回路２７を作動させインバータモータ５０へのインバータ周波数と電力量の出力を調整することによって制御される。
【００３４】
続いて、ケース内Ｎを「加熱」する例を述べる。キーボード１１から「加熱」に係る設定入力がなされると、制御部２６は、圧縮機４９の吐出側と利用側熱交換器５４とが連通するとともに圧縮機４９の吸込側と熱源側熱交換器５２とが連通するように、電源回路２７からの直流電源が四口流路切換弁５１の弁駆動モータへ給電する。これにより、四口流路切換弁５１の流路が破線で示したように設定される。そこで、インバータモータ５０への給電により圧縮機４９が起動する。すると、破線の矢印Ｑで示すように、圧縮機４９で圧縮されて高温高圧となったガス冷媒が四口流路切換弁５１を経て利用側熱交換器５４に流入し伝熱板５７を介してケース内Ｎへ放熱して低温高圧になる。低温高圧となった冷媒は冷媒絞り弁５３で絞られて気液二相の冷媒となり、熱源側熱交換器５２に流入する。熱源側熱交換器５２中の気液二相冷媒は送風機５８から送風された外気との熱交換により蒸発して低温低圧のガス冷媒となり、四口流路切換弁５１を経て圧縮機４９の吸込側に戻る。このように、加熱仕様の冷媒サイクル動作が繰り返される。そして、ケース内Ｎは利用側熱交換器５４中の冷媒により加熱されて昇温し、目標加熱温度（例えば３５℃）に保持される。この場合も、ケース内Ｎの温度は制御部２６により電源回路２７の作動を調整することによって制御される。
【００３５】
一般に、冷凍サイクルシステムでは圧縮機の吐出容量を大きくすることにより利用側の冷却能力や加熱能力を高めることができるが、この感光材料マガジン１ｂでは外付けの外機４８に圧縮機４９を収容しているので吐出容量の大きな圧縮機を採用しやすい。そのため、内容量が比較的大きな感光材料マガジンであっても十分に対応することができる。
【００３６】
尚、上記の各実施形態では、冷却手段と加熱手段の双方を併有する例を示したが、本発明はそれに限定されるものでなく、例えば冷却手段だけを備えた感光材料マガジンも含まれる。
また、電熱冷却素子９の伝熱板２０や冷凍サイクル装置４７の利用側熱交換器５４をそれぞれ冷却手段専用とし、加熱手段として例えば汎用の電気ヒータなどを用いるものも、本発明に含まれる。
そして、ケース内へ収容される印画紙の形態としては、上記したロール状に限らず、例えば印画紙をシート状に折り畳んで収容したものなども含まれる。
【図面の簡単な説明】
【００３７】
【図１】本発明の一実施形態に係る感光材料マガジンの外観図である。
【図２】図１におけるＡ−Ａ線矢視断面を含む構成図である。
【図３】前記感光材料マガジンが用いられる写真処理装置の概略構成図である。
【図４】本発明の別の実施形態に係る感光材料マガジンの構成図である。
【図５】本発明の他の実施形態に係る感光材料マガジンの構成図である。
【符号の説明】
【００３８】
１，１ａ，１ｂ  感光材料マガジン
２              本体ケース
５              温度センサ
９              電熱冷却素子
１１            キーボード
２０            伝熱板（冷却手段または加熱手段、吸熱板または放熱板）
２６            制御部
２７            電源回路
２８，２８Ａ    第１制御手段
２８ａ          第２制御手段
２８ｂ          第３制御手段
２９            ＣＰＵ
３２            ＲＡＭ
３３            タイマ回路（計時手段）
４５            温度スイッチ
４６            温度設定ツマミ
５４            利用側熱交換器（冷却手段または加熱手段）
Ｎ              ケース内
Ｐ              印画紙（感光材料）
【図１】
2005274688.tif 000003
【図２】
2005274688.tif 000004
【図３】
2005274688.tif 000005
【図４】
2005274688.tif 000006
【図５】
2005274688.tif 000007